(57)【要約】      （修正有）【課題】ステージクラス化を用いた器用なロボットの実行シーケンスを制御する。【解決手段】ロボットは、複数のロボットジョイントと、ジョイントを運動させるアクチュエータと、ジョイントの特性を測定し、センサ信号として特性を伝達するセンサと、を有する。コントローラは、センサ信号を受け取り、メモリからの命令を実行し、状態クラス化モジュールを介してセンサ信号を識別できるクラスにクラス化し、クラスを用いてロボットのシステム状態を監視し、システム状態に基づいて、代替作業タスクの実行においてロボットを制御するように構成される。上述のシステム内のロボットを制御する方法は、コントローラから信号を受け取ること、状態クラス化モジュールを用いて信号をクラス化すること、クラスを用いてロボットの現在のシステム状態を監視すること、現在のシステム状態に基づいて代替作業タスクの実行においてロボットを制御すること、を含む。【選択図】図２
2013031913.tif 000002
【特許請求の範囲】
【請求項１】
ロボットシステムであって、
複数のロボットジョイント、前記ロボットジョイントを運動させるように構成されるアクチュエータ、および前記ロボットジョイントの対応する１つの特性を測定するように構成されたセンサを備える器用なロボットと、
センサ信号を受け取るように構成されるコントローラと、を有し、
前記コントローラは、実体的な非過渡的なメモリを有し、前記メモリに、状態クラス化モジュールを含む、コンピュータで実行可能な命令が記録され、
前記コントローラはさらにプロセッサを含み、
前記プロセッサは、前記実体的な非過渡的なメモリからの命令を実行し、
前記状態クラス化モジュールを介してセンサ信号を少なくとも２つの識別されるクラスにクラス化し、
前記クラスを用いて前記ロボットのシステム状態を監視し、および、
前記システム状態に基づいて、代替作業タスクの実行において前記ロボットを制御する、ように構成される、
ロボットシステム。
【請求項２】
請求項１に記載のロボットシステムであって、前記コントローラは、前記状態クラス化モジュールの訓練フェーズの実行中に、前記プロセッサを介して、前記複数のセンサにより取得された実際のセンサ測定値を処理するように構成される、ロボットシステム。
【請求項３】
請求項１に記載のロボットシステムであって、前記状態クラス化モジュールは、超平面、または前記複数のセンサの入力空間においてクラスを分割するラインを計算するサポートベクターマシンである、ロボットシステム。
【請求項４】
請求項３に記載のロボットシステムであって、前記サポートベクターマシンは、Radial Basis Functionカーネルを座標変換として選択的に用いる、ロボットシステム。
【請求項５】
請求項１に記載のロボットシステムであって、前記器用なロボットは、少なくとも４２の自由度を備える人間型ロボットである、ロボットシステム。
【請求項６】
器用なロボットを制御する方法であって、前記ロボットは、複数のジョイントと、前記ジョイントを運動させるように構成されるアクチュエータと、前記ロボットジョイントの対応する１つの特性を測定するように構成されるセンサと、を含み、前記特性は、作業タスクまたはシーケンスの実行に用いられる各ジョイントの位置を含み、また、前記センサは、センサ信号として前記特性を伝達するように構成され、前記方法は、
状態クラス化モジュールを備えるコントローラを用いて前記センサ信号を受け取ることと、
前記コントローラの状態クラス化モジュールを使用して、前記センサ信号を、少なくとも２つの識別できるクラスにクラス化することと、
前記クラスを用いて前記ロボットの現在のシステム状態を監視することと、
前記現在のシステム状態に基づいて、代替作業タスクの実行において前記ロボットを制御することと、を有する方法。
【請求項７】
請求項６に記載の方法であって、さらに、
前記状態クラス化モジュールの訓練フェーズの実行中に、前記コントローラを介して、前記センサにより取得した実際のセンサ測定値を処理すること、を有する方法。
【請求項８】
請求項６に記載の方法であって、さらに、
前記状態クラス化モジュールを用いて、超平面または前記センサの入力空間において前記クラスを分割するラインを計算すること、を有する方法。
【請求項９】
請求項８に記載の方法であって、超平面またはラインを計算することは、サポートベクターマシン（ＳＶＭ）、ニューラルネットワーク、ロジスティック回帰モデル、単純ベイズ分類機、パーセプトロンネットワーク、およびk近傍法の１つを用いることを含む、方法。
【請求項１０】
請求項９に記載の方法であって、超平面またはラインを計算することは、ＳＶＭを使用することを含み、前記方法はさらに、
Radial Basis Functionカーネルを座標変換として選択的に用いて、ＳＶＭの性能を最適化することを有する、方法。
【請求項１１】
請求項６に記載の方法であって、代替作業タスクの実行において前記ロボットを制御することは、少なくとも２つの代替作業タスクを通じて、少なくとも４２の自由度を備える人間型ロボットを制御することを含む、方法。
【請求項１２】
器用なロボットを備えるロボットシステム内で使用されるコントローラであって、前記ロボットは、複数のロボットジョイントと、前記ロボットジョイントを運動させるように構成されるアクチュエータと、前記ロボットジョイントの対応する１つの特性を測定し、センサ信号として前記特性を伝達するように構成されるセンサと、を含み、前記コントローラは、
前記ロボットと通信し、センサ信号を受け取るように構成されるホストマシンと、
実体的な非過渡的なメモリと、を有し、前記メモリは、状態クラス化モジュールを含む、コンピュータで実行可能な命令を記録し、
前記コントローラはさらにプロセッサを有し、前記プロセッサは、
前記実体的な非過渡的メモリからの命令を実行し、
前記センサ信号を、前記状態クラス化モジュールを介して少なくとも２つの識別できるクラスにクラス化し、
前記クラスを用いて前記ロボットのシステム状態を監視し、および、
前記システム状態に基づいて、代替作業タスクの実行において前記ロボットを制御する、ように構成される、
コントローラ。
【請求項１３】
請求項１２に記載のコントローラであって、前記コントローラは、実際のセンサ測定値のセットを前記メモリ内で処理および記録するように構成され、前記センサ測定値は、前記状態クラス化モジュールの訓練フェーズの実行中に前記センサにより測定される、コントローラ。
【請求項１４】
請求項１２に記載のコントローラであって、前記状態クラス化モジュールは、超平面または前記複数のセンサの入力空間においてクラスを分割するラインを計算するサポートベクターマシンである、コントローラ。
【請求項１５】
請求項１４に記載のコントローラであって、前記サポートベクターマシンは、Radial Basis Functionカーネルを座標変換として選択的に用いる、コントローラ。
【発明の詳細な説明】
【技術分野】
【０００１】
[0001]本発明は、NASA Space Act Agreement Number SAA-AT-07-003による政府の支援のもとでなされた。本明細書で説明される発明は、米国政府によりまたは米国政府のために、実施料の支払いなしに、製造および使用され得る。
【０００２】
本発明は、ステージクラス化を用いた器用なロボットの実行シーケンスを制御するための方法およびシステムに関する。
【背景技術】
【０００３】
[0002]ロボットは、一連のリンクを介して物体を操作するのに用いることができる、電気機械装置である。リンクは、関節またはアクチュエータ駆動ロボットジョイントにより相互接続される。典型的なロボットの各ジョイントは、独立制御変数または自由度（ＤＯＦ）を備える。エンドエフェクタは、作業ツールの把持または対象物への他の動作のような所定の作業を実行するために用いられる特別なリンクである。様々なＤＯＦを通じてのロボットの正確な運動制御は、タスクレベル、オブジェクトレベルコントロール、すなわち、ロボットにより単一でまたは協働して保持される物体を制御する能力、エンドエフェクタコントロール、ジョイントレベルコントロール、により管理することができる。集合的に、様々な制御レベルは、必要とされるロボットの器用さおよび作業タスクに関連する機能性を達成するために協働する。
【発明の概要】
【発明が解決しようとする課題】
【０００４】
[0004]器用なロボットの構造的な複雑さは、作業タスクの性質に広く依存する。物体の操作の間、環境に対してマニピュレータを、すなわちシステム状態を追跡することが必要である。そのような追跡なしでは、与えられた作業シーケンスの間、ロボットは動作の結果に関して無知の状態である。しかし、比較的に高いＤＯＦ数を備える器用なロボットにおいて、システム状態を監視および追跡することは、非常に複雑な作業である。一般に数百の別個のセンサ信号が用いられ、現在のシステム状態の最終的な決定へのセンサ信号の処理、および関連性の決定の困難さが伴う。したがって、存在するロボット制御システムおよび制御方法は、比較的に高いＤＯＦの器用なロボットの状態追跡および監視のための使用に関しては最適というわけではない。
【課題を解決するための手段】
【０００５】
[0005]器用なロボットおよびコントローラを備えるロボットシステムが開示される。ロボットは、比較的に大きな自由度（ＤＯＦ）を備え、たとえば、一実施形態においては少なくとも４２ＤＯＦである。コントローラは、ロボットの自動化シーケンスを採用するのに用いることができる触覚フィードバックを提供するように構成される。すなわち、コントローラは、論理層を用いて、操作の間にロボットの状態および動作環境を追跡する。論理層は、ロボットが、現在の動作の結果に基づいて任意の数の実行経路を実行することを可能にする。この知識は、与えられた作業またはシーケンスの周りで適応できる制御を包むのに用いることができる。
【０００６】
[0006]状態シーケンスは、学習フェーズの間に決定され、この間に、作業実行中になされる実際のセンサ測定が、実体的な非過渡的なメモリ内に記憶される。これらの測定は、サポートベクターマシン（Support Vector Machine, SVM）により処理される。タスク実行中にシステム状態の評価は、後のタスクステップのための完了条件として、または代替動作を行うために、コントローラにより用いられる。
【０００７】
[0007]特に、ロボットシステムは、器用なロボットおよびコントローラを含む。ロボットは、複数のロボットジョイント、ロボットジョイントを運動させるように構成されるアクチュエータ、およびロボットジョイントの１つに対応する特性、たとえば位置、を測定し、その測定をセンサ信号として伝達するように構成されるセンサ、を含む。コントローラは、実体的な非過渡的なメモリを含み、メモリに状態クラス化モジュールを含むコンピュータで実行可能な命令が記録され、コントローラは、実体的な非過渡的メモリからの命令を実行するように構成されるプロセッサを含み、状態クラス化モジュール、たとえばサポートベクターマシン(SVM)、を    用いてセンサ信号を少なくとも２つの識別できるクラスにクラス化し、クラスを用いてロボットのシステム状態を監視し、システム状態に基づいて代替作業タスクの実行においてロボットを制御する。
【０００８】
[0008]上述の器用なロボットを制御するための方法は、コントローラを用いてセンサ信号を受け取ることと、センサ信号を少なくとも２つの識別できるクラスにクラス化することと、クラスを用いてロボットの現在のシステム状態を監視することと、現在のシステム状態に基づいて代替作業タスクの実行においてロボットを制御することと、を含む。
【０００９】
[0009]また、上述の方法を実行するように構成されるコントローラが本明細書で開示される。コントローラは、ロボットと通信し、センサ信号を受け取るように構成されるホストマシンを含む。また、コントローラは、実体的な非過渡的なメモリを含み、コンピュータで実行可能な命令が記録され、状態クラス化モジュールを含む。プロセッサは命令を実行し、それにより、上述の本方法を実行する。
【００１０】
[0010]本発明の上述の特徴および利点、また、他の特徴および利点は、以下の本発明を実施するための詳細な説明を添付図面とともに参照することで明らかになる。
【図面の簡単な説明】
【００１１】
【図１】ロボットシステムの概略図であり、作業タスクまたはシーケンスの実行中に器用なロボットの制御に状態クラス化データを用いるコントローラを備える、ロボットシステムの概略図である。
【図２】図１に示されるシステム内で、センサ入力のクラス化においサポートベクターマシンにより生成される平行超平面のプロットの概略図である。
【図３】図１のロボットシステム内のシステム状態を追跡するための例示の制御アプローチを説明するフローチャートである。
【発明を実施するための形態】
【００１２】
[0014]図面を参照すると、同様の参照番号は、いくつかの図面を通じて同一または類似の要素を参照する。例示的なロボットシステム１０が図１に示されている。ロボットシステム１０は、器用なロボット１１０およびコントローラ２４を含む。図２、３を参照して以下で詳細に説明されるように、本コントローラ２４は、ロボットが与えられた作業タスクまたはシーケンスを実行するときに、ロボット１１０の動作を制御するように構成される。コントローラ２４は、部分的に、状態クラス化モジュール２３を用いて生成された状態クラス化データを用いてこれを行い、たとえば、サポートベクターマシン（ＳＶＭ）または他の好適な状態評価技術を用いる。
【００１３】
[0015]図１に示されるロボット１１０は、可能な一実施形態において、人間型として構成することができる。人間型ロボットの使用は、ロボット１１０と、特に人間による使用または制御が意図されている装置またはシステムとの間に直接的な相互作用が必要とされる場合において有利となり得る。そのようなロボットは、典型的には、作業タスクの要求に応じて、全身、トルソ、アーム、および／またはハンドの形態で、ほぼ人間のような構造または外観を備える。
【００１４】
[0016]ロボット１１０は、複数の、独立にまたは相互依存して移動可能なコンプライアントロボットジョイントを含み、限定するわけではないが、肩ジョイント（矢印Ａで示される）、肘ジョイント（矢印Ｂ）、手首ジョイント（矢印Ｃ）、首ジョイント（矢印Ｄ）、腰ジョイント（矢印Ｅ）、各ロボットフィンガ１９の指骨の間に位置決めされる様々なフィンガジョイント（矢印Ｆ）を含む。各ロボットジョイントは、１以上の自由度（ＤＯＦ）を備えることができる。
【００１５】
[0017]たとえば、肩ジョイント（矢印Ａ）、肘ジョイント（矢印Ｂ）、および手首ジョイント（矢印Ｃ）のようなある種のジョイントは、ピッチおよびロールの形態で少なくとも２ＤＯＦを備えることができる。同様に、首ジョイント（矢印Ｄ）は、少なくとも３ＤＯＦを備えることができ、腰および手首のジョイント（矢印Ｅ、Ｃ）は、１以上のＤＯＦを備えることができる。タスクの複雑さのレベルに応じて、ロボット１１０は、４２を越えるＤＯＦで動作することができ、図１に示される例示的な実施形態で可能である。そのような大きな数のＤＯＦは器用なロボットの特性であり、本稿では人間のようなレベルの器用さを備えるロボットを意味するものとして使用され、たとえば、フィンガー１９およびハンド１８において人間のような器用さを備える。
【００１６】
[0018]説明の明瞭さのために図１には示されていないが、各ロボットジョイントは、１つ以上のジョイントアクチュエータを備え、これに駆動され、たとえば、モーター、線形アクチュエータ、ロータリーアクチュエータ、電気的に制御される拮抗テンドン等である。各ジョイントは、１つ以上のセンサ２９を含み、単純化のために図１では肩および肘のセンサだけが示されている。センサ２９は測定して、センサ信号をコントローラ２４へ伝達し（矢印２２）、これはコンピュータで読み出し可能なメモリ２５内に記録され、与えられた作業タスクシーケンスの実行中にシステム状態の変化を監視および追跡するのに用いられる。
【００１７】
[0019]人間型として構成される場合、ロボット１１０は、ヘッド１２、トルソ１４、腰１５、腕１６、ハンド１８、フィンガ１９、および親指２１を含むことができる。また、ロボット１１０は、タスクに好適な固定具またはベース（図示せず）を含むことができ、ロボット１１０の具体的な用途または意図する使用に応じて、レッグ、トレッド、または他の移動可能なまたは静止のベースなどを含むことができる。パワー供給部１３は、ロボット１１０に関して一体的に取り付けることができ、たとえば、様々なジョイントへ十分な電気エネルギーを供給するために、トルソ１４上に搭載または装着される充電可能なバッテリパック、または他の好適なエネルギー源を用いることができ、ここで用いられる電気駆動アクチュエータへパワー供給する。パワー供給部１３は、パワーコントロールのセットおよびフィードバック信号（矢印２７）を介して制御することができる。
【００１８】
[0020]図１を参照すると、本コントローラ２４は、閉鎖ループまたは解放ループで、コントロール信号およびフィードバック信号（矢印１１）を介して、ロボット１１０の様々な統合システムコンポーネントの正確な運動およびシステムレベルコントロールを提供する。そのようなコンポーネントは、様々なコンプライアントジョイント、リレー、レーザー、光、電磁石クランプ、および／またはロボット１１０の動作の正確なコントロールを確立するために用いられる他のコンポーネントを含むことができ、１つ以上のハンド１８のフィンガ１９および親指２１により把持される物体２０を操作するのに必要とされる精細および粗野な運動のコントロールを含む。コントローラ２４は、各ロボットジョイントをコントロールするように構成され、他のジョイントから分離して、また、より複雑な作業タスクを実行するのに複数のジョイント動作を完全に統合してコントロールするように構成される。
【００１９】
[0021]コントローラ２４は、１つまたは複数のディジタルコンピュータまたはホストマシンとして実施することができ、それぞれが１つ以上のプロセッサ１７、読出専用メモリ（ＲＯＭ）、ランダムアクセスメモリ（ＲＡＭ）、電気的にプログラム可能な読出専用メモリ（ＥＰＲＯＭ）、光学ドライブ、磁気ドライブ等、高速クロック、アナログ−ディジタル（Ａ／Ｄ）回路、ディジタル−アナログ（Ｄ／Ａ）回路、および任意の必要な入力／出力（Ｉ／Ｏ）回路、Ｉ／Ｏ装置、通信インターフェース、信号調整器、バッファ機器などを含むことができる。
【００２０】
[0022]コンピュータで読出し可能なメモリ２５は、任意の非過渡的／実体的な媒体を含むことができ、データまたはコンピュータで読み出し可能な命令の提供に関連する。メモリ２５は、不揮発性でも揮発性でもよい。不揮発性の媒体は、たとえば、光学または磁気ディスクおよび他の持続性のあるメモリとすることができる。例示の揮発性媒体は、ダイナミックランダムアクセスメモリ（ＤＲＡＭ）を含むことができ、これはメインメモリを構成することができる。メモリ２５の実施形態の他の例は、フロッピーディスク、フレキシブルディスク、またはハードディスク、磁気テープ、他の磁気媒体、ＣＤ−ＲＯＭ、ＤＶＤ、および／または任意の他の光学媒体、フラッシュメモリのような他の可能なメモリ装置を含むことができる。
【００２１】
[0023]コントローラ２４は、状態クラス化モジュール２３を含む。モジュール２３は、たとえば、サポートベクターマシン（ＳＶＭ）、または、以下で説明するように、測定されたセンサ信号（矢印２２）からロボットシステム１０の現在の状態を決定するのに好適な、他の論理層として実施化することができる。本方法１００を実行するコンピュータが実行可能な命令は、メモリ２５に記録することができ、また、コントローラ２４の関連するハードウェア要素を用いてコントローラ２４のプロセッサ１７により実行可能である。本方法１００の例示的な実施形態は図３に示されており、以下で詳細に説明される。
【００２２】
[0024]状態クラス化モジュール２３は、論理層として実施化することができ、また、当業界でよく理解されているように、監督される機械学習の１つ以上のフェーズの間に、選択的にコントローラ２４により実行される。モジュール２３の使用は、コントローラ２４が、データを効率的に解析し、作業タスクまたはシーケンスの実行においてロボット１１０から受け取る様々なセンサ信号（矢印２２）のような、入力データにより表されるパターンを認識するのを可能にする。
【００２３】
[0025]一実施形態において、状態クラス化モジュール２３は、ＳＶＭとして構成され、これは、非確率的バイナリ線化クラス化装置として一般に説明される。しかし、当業者は、本発明の意図される範囲から逸脱することなく他のアプローチを用いることができる。たとえば、状態クラス化モジュール２３は、代替的に、ニューラルネットワーク、ロジスティック回帰モデル、単純ベイズ分類機、パーセプトロンネットワーク、k近傍法、等として実施化することができ、それぞれは当業界に知られている。以下、説明的な一貫性のためにＳＶＭの実施形態が用いられる。
【００２４】
[0026]各入力に関して、ＳＶＭは、具体的なの入力値が適切にフィットする、少なくとも２つのデータクラスまたはカテゴリの何れかであると予期することができる。それぞれが関連するクラスを備える、十分に大きく且つ有益な学習サンプルのセットが与えられると、その後、コントローラ２４は、与えられた作業シーケンスを実行するときに、センサ信号（矢印２２）の各新しいサンプルを適切にクラス化するために、ＳＶＭを使用することができる。
【００２５】
[0027]図２を参照すると、状態クラス化モジュール２３のＳＶＭ実施形態のクラス化プロセスをさらに説明するためのプロット５０が示される。例示的なクラスは、図１の「物体２０を保持するロボット１１０」とすることができる。他の例示のクラスは、「物体２０を保持しないロボット１１０」とすることができる。ｘ１軸およびｘ２軸は、センサ２９からの入力を表し、これらの２つのセンサは図１に示されている。図２において、第１クラスは、クラスタ４０により示され、第２クラスはクラスタ４２により示されている。
【００２６】
[0028]ＳＶＭは、値ｗおよびｂを探すことでクラスを分割し、当業界では超平面とも称される、式ｗ・ｘ−ｂ＝０（ライン４３）により定義されるラインは、クラス４０、４２の間の距離（ライン４７）を最大化する。ｗおよびｘはベクトルであり、たとえば、図１に示される例では２次元であり、また、ｗ・ｘは、ベクトルのドット積である。いくつかの場合、クラスを分割するラインｗ・ｘ−ｂが存在しないことがある。この場合、コントローラ２４は、センサ入力ｘ＝（ｘ１、ｘ２）に対して座標変換を適用することができ、当業界で理解されるように、変換された空間においてラインによりクラスを分離することができる。そのような座標変換は、ＳＶＭアプローチの性能を最適化するために用いることができる。１つの可能な変換は、Radial Basis Function (ＲＢＦ)カーネルである。
【００２７】
[0029]コントローラ２４は、最初に、訓練／学習フェーズを実行し、この間に、ＳＶＭにより実際のセンサ測定値（図１の矢印２２）が処理され、メモリ２５に記録される。ＳＶＭは、初めに超平面、すなわちライン４３、を計算する。その後、それぞれの式（ｗ・ｘ−ｂ＝１）、（ｗ・ｘ−ｂ＝−１）を用いて、超平面に平行なライン４１、４５がコントローラ２４により画定される。ｗおよびｂの値は、与えられたセンサ値のクラス化のエラーの発生を最小化するように、超平面またはライン４１、４５の間のマージンまたは分離を最大化するように選択されるべきである。
【００２８】
[0030]図２に示されるプロット５０と共に図３を参照すると、本方法１００の例示的な実施形態が示され、教示／学習フェーズ中または実際の作業タスクの実行中であるかに関わらず、図１のロボット１１０が作業タスクを開始するときに、ステップ１０２で開始する。ステップ１０２のタスクの実行に際して、図１のコントローラ２４はステップ１０４に進む。
【００２９】
[0031]ステップ１０４において、コントローラ２４は、センサ測定値のセットを記録し、たとえば、図１の様々な信号（矢印２２）をメモリ２５に記録する。その後、コントローラ２４は、モジュール２３、たとえば上述したＳＶＭまたは他の適切な代替予測手段を用いてセンサ信号（矢印２２）のセットを処理することができる。
【００３０】
[0032]ステップ１０４は、センサ測定値を、図２に示される例示的なクラス４０、４２のような以前に記録されたクラスと比較し、以前の訓練フェーズから存在する知識を用いてこれらの異なるクラスに１つの測定値を配置することを含むことができる。システム状態が適切に同定されると、コントローラ２４は、ステップ１０６または１０８に進み、これは、現在のシステム状態に応じて利用可能であるかあるいは利用可能ではない、２つの可能な分岐作業タスクを示している。
【００３１】
[0033]たとえば、ステップ１０６は、協働的な把持において、所定の位置へ図１の物体２０を回転させることを含むことができ、ステップ１０８は、同一の物体２０を静止表面に溶接することを含むことができる。この仮定的な例において、ステップ１０６は、ロボット１１０が第１システム状態にあるときにだけ生じるようにすることができ、ステップ１０８は、ロボット１１０が第２システム状態にあるときにだけ生じるようにすることができる。ステップ１０４における適切な状態クラス化は、ロボット１１０が、現在の活動から生じる結果に基づいて、任意の数の実行パスを通って遷移することを可能にするのに重要である。
【００３２】
[0034]本発明の実施形態が詳細に説明されたが、本発明が関連する技術分野における当業者は、添付の特許請求の範囲の範囲内において、本発明を実施する様々な代替設計および実施形態を認識するであろう。
【図１】
2013031913.tif 000003
【図２】
2013031913.tif 000004
【図３】
2013031913.tif 000005
【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
ロボットシステムであって、
複数のロボットジョイント、前記ロボットジョイントを運動させるように構成されるアクチュエータ、および前記ロボットジョイントの対応する１つの特性を測定するように構成されたセンサを備える器用なロボットと、
センサ信号を受け取るように構成されるコントローラと、を有し、
前記コントローラは、実体的な非過渡的なメモリを有し、前記メモリに、状態クラス化モジュールを含む、コンピュータで実行可能な命令が記録され、
前記コントローラはさらにプロセッサを含み、
前記プロセッサは、前記実体的な非過渡的なメモリからの命令を実行し、
前記状態クラス化モジュールを介してセンサ信号を少なくとも２つの識別されるクラスにクラス化し、
前記クラスを用いて前記ロボットのシステム状態を監視し、および、
前記システム状態に基づいて、代替作業タスクの実行において前記ロボットを制御する、ように構成される、
ロボットシステム。
【請求項２】
請求項１に記載のロボットシステムであって、前記コントローラは、前記状態クラス化モジュールの訓練フェーズの実行中に、前記プロセッサを介して、前記複数のセンサにより取得された実際のセンサ測定値を処理するように構成される、ロボットシステム。
【請求項３】
請求項１に記載のロボットシステムであって、前記状態クラス化モジュールは、超平面、または前記複数のセンサの入力空間においてクラスを分割するラインを計算するサポートベクターマシンである、ロボットシステム。
【請求項４】
請求項３に記載のロボットシステムであって、前記サポートベクターマシンは、Radial Basis Functionカーネルを座標変換として選択的に用いる、ロボットシステム。
【請求項５】
請求項１に記載のロボットシステムであって、前記器用なロボットは、少なくとも４２の自由度を備える人間型ロボットである、ロボットシステム。
【請求項６】
器用なロボットを制御する方法であって、前記ロボットは、複数のジョイントと、前記ジョイントを運動させるように構成されるアクチュエータと、前記ロボットジョイントの対応する１つの特性を測定するように構成されるセンサと、を含み、前記特性は、作業タスクまたはシーケンスの実行に用いられる各ジョイントの位置を含み、また、前記センサは、センサ信号として前記特性を伝達するように構成され、前記方法は、
状態クラス化モジュールを備えるコントローラを用いて前記センサ信号を受け取ることと、
前記コントローラの状態クラス化モジュールを使用して、前記センサ信号を、少なくとも２つの識別できるクラスにクラス化することと、
前記クラスを用いて前記ロボットの現在のシステム状態を監視することと、
前記現在のシステム状態に基づいて、代替作業タスクの実行において前記ロボットを制御することと、を有する方法。
【請求項７】
請求項６に記載の方法であって、さらに、
前記状態クラス化モジュールの訓練フェーズの実行中に、前記コントローラを介して、前記センサにより取得した実際のセンサ測定値を処理すること、を有する方法。
【請求項８】
請求項６に記載の方法であって、さらに、
前記状態クラス化モジュールを用いて、超平面または前記センサの入力空間において前記クラスを分割するラインを計算すること、を有する方法。
【請求項９】
請求項８に記載の方法であって、超平面またはラインを計算することは、サポートベクターマシン（ＳＶＭ）、ニューラルネットワーク、ロジスティック回帰モデル、単純ベイズ分類機、パーセプトロンネットワーク、およびk近傍法の１つを用いることを含む、方法。
【請求項１０】
請求項９に記載の方法であって、超平面またはラインを計算することは、ＳＶＭを使用することを含み、前記方法はさらに、
Radial Basis Functionカーネルを座標変換として選択的に用いて、ＳＶＭの性能を最適化することを有する、方法。
【外国語明細書】
2013031913000001.pdf